(57)【要約】【課題】  従来の苗移植機は、大きな苗を植え付ける場合に、植え付けた苗が上動する苗植付け体に干渉して倒れたり引っかかったりして、苗の植付姿勢が悪化するおそれがある。【解決手段】  上下動機構により下動して圃場に苗を植え付け、苗を植え付けた後、上動する苗植付け体２０を備える苗移植機において、植え付けた苗が上動する苗植付け体２０に干渉しないように該苗を押し避ける苗避け具３２を設けた。また、苗植付け体２０の上動時に苗避け具３２が作動して苗を押し避ける構成とし、該苗避け具３２の作動量を変更可能な作動量変更手段を設けた。【選択図】      図４
2006223179.tif 000002
【特許請求の範囲】
【請求項１】
上下動機構（２１）により下動して圃場に苗を植え付け、苗を植え付けた後、上動する苗植付け体（２０）を備える苗移植機において、植え付けた苗が上動する苗植付け体（２０）に干渉しないように該苗を押し避ける苗避け具（３２）を設けた苗移植機。
【請求項２】
苗植付け体（２０）の上動時に苗避け具（３２）が作動して苗を押し避ける構成とし、該苗避け具（３２）の作動量を変更可能な作動量変更手段を設けた請求項１に記載の苗移植機。
【発明の詳細な説明】
【技術分野】
【０００１】
本発明は、苗移植機に関するものである。
【背景技術】
【０００２】
先端が下方に向かうくちばし状の苗植付け体を備え、該苗植付け体が上下動機構により下端部が圃場面より下方となる位置まで下動した状態で、開閉機構により苗植付け体の下端部を前後に開いて該苗植付け体の内側に収容した苗を下方に放出して苗を植え付け、苗を植え付けた後、上下動機構により苗植付け体が上動する構成の苗移植機が知られている（特許文献１参照。）。
【特許文献１】特開２０００−２５３７１０号公報
【発明の開示】
【発明が解決しようとする課題】
【０００３】
上記の苗移植機は、大きな苗を植え付ける場合に、植え付けた苗が上動する苗植付け体に干渉して倒れたり引っかかったりして、苗の植付姿勢が悪化するおそれがある。
そこで、本発明は、苗の植付姿勢を良好にできる苗移植機を提供することを課題とする。
【課題を解決するための手段】
【０００４】
本発明は、上記課題を解決するために、次のような技術的手段を講じた。
すなわち、請求項１に記載の発明は、上下動機構２１により下動して圃場に苗を植え付け、苗を植え付けた後、上動する苗植付け体２０を備える苗移植機において、植え付けた苗が上動する苗植付け体２０に干渉しないように該苗を押し避ける苗避け具３２を設けた苗移植機とした。
【０００５】
従って、請求項１に記載の苗移植機は、苗植付け体２０が上下動機構２１により下動して圃場に苗を植え付け、苗を植え付けた後、苗植付け体２０が上動する。苗植付け体２０が上動する際、苗避け具３２により植え付けた苗が前記苗植付け体２０に干渉しないように押し避けられる。
【０００６】
また、請求項２に記載の発明は、苗植付け体２０の上動時に苗避け具３２が作動して苗を押し避ける構成とし、該苗避け具３２の作動量を変更可能な作動量変更手段を設けた請求項１に記載の苗移植機とした。
【０００７】
従って、請求項２に記載の苗移植機は、請求項１に記載の苗移植機の作用に加えて、苗植付け体２０が上動する際、苗避け具３２が作動して植え付けた苗が前記苗植付け体２０に干渉しないように押し避けられる。このとき、作動量変更手段により、植え付けた苗の状況に応じて、該苗が上動する植付け体２０にあまり干渉しないときは、苗避け具３２の作動量を小さく変更し、苗避け具３２によりかえって苗の姿勢が悪化するようなことを防止できる。一方、前記苗が上動する植付け体２０に激しく干渉するときは、苗避け具３２の作動量を大きく変更し、上動する植付け体２０に干渉して苗の姿勢が悪化するのを苗避け具３２により確実に防止できる。
【発明の効果】
【０００８】
よって、請求項１に記載の発明によると、植え付けた苗が上動する苗植付け体２０に干渉するのを防止でき、苗の植付姿勢を良好に維持できる。
また、請求項２に記載の発明によると、請求項１に記載の発明の効果に加えて、苗の状況に応じて苗避け具３２の作動量を変更でき、苗の植付姿勢の更なる適正化が図れる。
【発明を実施するための最良の形態】
【０００９】
この発明の一実施例としての苗移植機１を以下に説明する。尚、以下の説明では、操縦ハンドル２を配置した側を後とし、その反対側、即ちエンジン３を配置した側を前とする。そして、機体後部において機体前部側に向って立つ作業者の右手側を右とし、左手側を左とする。この苗移植機は、機体を前進走行可能とする走行車体４と、該走行車体４の後部に設けた歩行操縦用の操縦ハンドル２と、圃場に苗を植付ける苗植付装置５とを備えた構成としている。
【００１０】
走行車体４は、エンジン３と、該エンジン３の動力が伝達されて駆動回転する左右一対の駆動車輪である後輪６，６と、該後輪６，６の前方に転動自在に支持した左右一対の前輪７，７とを備えている。
【００１１】
エンジン５の後部にはミッションケース８を配置し、エンジン３からの動力がミッションケース８内の伝動機構に伝達される構成となっている。そして、該ミッションケース８の後側に延設される植付伝動ケース９を設けており、ミッションケース８内の動力が植付伝動ケース９内の伝動機構に伝達されて苗植付装置５が作動する構成となっている。ミッションケース８の左右両側部には、前後に長い走行用の伝動ケース１０，１０の前部を回動自在に取り付けている。そして、この走行用の伝動ケース１０，１０の後部側方に突出させた車軸１１、１１に後輪６，６を装着している。伝動ケース１０，１０の前部の回動軸心Ｘ位置には、ミッションケース８から左右両外側方に延出させた車輪駆動軸の先端が入り込んで、ミッションケース８内の走行部系変速伝動部を経た走行用の動力が伝動ケース１０，１０内の伝動機構に伝達される。そして、走行用の動力は伝動ケース１０，１０内の伝動機構を介して伝動ケース１０，１０の後端側の車軸１１，１１に伝動し、後輪６，６が駆動回転するようになっている。尚、ミッションケース８内に設けた左右それぞれのサイドクラッチ（図示せず）により、左右各々の後輪６，６の駆動を断つことができる構成になっている。従って、機体を旋回させるときには、前記サイドクラッチにより旋回内側となる左右一方の後輪６を非駆動状態にしてスム−ズに旋回できるようになっている。
【００１２】
また、走行用の伝動ケース１０，１０には、後輪６，６を上下させるよう該伝動ケース１０，１０を上下回動する駆動手段を連結している。具体的には、伝動ケース１０，１０のミッションケース８への取付部に上方に延びるアーム１２，１２を一体的に取り付けていて、該アーム１２，１２をミッションケース８に固定された昇降用油圧シリンダ１３のピストンロッド先端に取り付けた連結体１４の左右両側部と連結している。左右一方側（右側）は、ロッド１５で連結し、他方側（左側）は、機体の傾斜に応じて伸縮作動可能な左右水平制御用油圧シリンダ１６で連結している。昇降用油圧シリンダ１３が作動してそのピストンロッドが機体後方に突出すると、左右の前記アーム１２，１２は後方に回動し、これに伴い伝動ケース１０，１０が下方に回動して、機体が上昇する。反対に、昇降用油圧シリンダ１３のピストンロッドが機体前方に移動してシリンダ内に引っ込むと、左右の前記アーム１２，１２は前方に回動し、これに伴い伝動ケース１０，１０が上方に回動して、機体が下降する。この昇降用油圧シリンダ１３は、圃場面に接地して機体と圃場面との上下間隔の変動にともなって動作するセンサーＳによって作動する。センサーＳの動作は機体に対する圃場面高さを検出する動作となり、そのセンサーＳの検出動作に基いて機体を圃場面高さに対して設定高さになるよう昇降用油圧シリンダ１３が作動するよう構成している。また、操縦ハンドル２近傍に配置した植付・昇降操作具１７の人為操作によって機体を上昇或は下降させるよう昇降用油圧シリンダ１３が作動する構成ともしている。尚、この植付・昇降操作具１７は、苗植付装置５の駆動の入切も行える構成となっている。また、前記左右水平制御用油圧シリンダ１６が伸縮作動すると、その左右水平制御用油圧シリンダ１６と連結する左側のアーム１２が回動して、左側の後輪６と右側の後輪６を互いに異なる高さにし、機体を左右に傾斜させる。この左右水平制御用油圧シリンダ１６は、機体の左右傾斜角を検出するセンサの検出結果に基づいて機体が所望の左右傾斜姿勢となるように作動するよう構成している。
【００１３】
左右前輪７，７は、エンジン３下方の左右中央位置で前後方向の軸心周りに回動自在に取り付けた横フレーム１８の左右両側部に、上下に長い縦フレーム１８ａ，１８ａを取付け、その下端部側方に固着した車軸１９，１９に回転自在に取り付けている。従って、左右前輪７，７は、機体の左右中央の前後方向の軸心周りにローリング動自在となっている。横フレーム１６の左右両側部に対して縦フレーム１６ａ，１６ａを上下調節可能に設けていて、前輪７，７の高さ調節をすることができるようになっている。
【００１４】
前記操縦ハンドル２は、機体後端部で左右一方側（右側）に偏位して設けられ、後輪６，６の車軸１１，１１より機体後方に位置している。具体的には、ミッションケース８に前端部を固定した機体フレーム２ｂの後端部に取り付けている。機体フレーム２ｂは、機体の左右中央から左右一方側（右側）に偏った位置に配置されて後方に延び、また、前後中間部から斜め後上方に延びている。操縦ハンドル２は、機体フレーム２ｂの後端部から左右に後方に延びてその各後端部を操縦ハンドル２のグリップ部２ａ，２ａとしている。操縦ハンドル２の左右のグリップ部２ａ，２ａは、作業者がそのグリップ部２ａ，２ａを楽に手で握れるように適宜高さに設定する。なお、この苗移植機ではグリップ部２ａ，２ａを左右に分かれた構成としているが、操縦ハンドル２の左右の後端部を互いに左右に連結してその連結部分をグリップ部としても良い。
【００１５】
尚、上記走行車体１は、接地して駆動回転する走行駆動部を、前後車輪を備えた四輪式の走行駆動部の構成としたものであるが、クローラー式の走行駆動部の構成とすることもできる。
【００１６】
苗植付装置５は、先端が下方に向かうくちばし状の苗植付け体２０と、該苗植付け体２０の下端部が圃場面より上方となる位置と圃場面より下方となる位置とに苗植付け体２０を上下動させる上下動機構２１と、くちばし状の苗植付け体２０の下端部が閉じて上方から苗を受け入れて内側に苗を収容可能する閉状態と苗植付け体２０の下端部が開いて内側に収容した苗を下方に放出可能する開状態とに苗植付け体２０を開閉する開閉機構２２とを備えている。尚、前記苗植付け体２０は、左右に分割構成されており、前記上下動機構２１による下死点位置から上動するとき前記開閉機構２２により下端部が左右に開閉する構成となっている。従って、機体を前進させながら大きい苗（大苗）を植え付ける際、植え付けた苗の前後に苗植付け体２０がなく開放されるので、苗植付け体２０で植え付けた苗を前後に倒したり引っかけたりするようなことが抑えられ、苗の植付精度が向上する。また、苗植付け体２０は、前記上下動機構２１により、上下に長いループ状の作動軌跡Ｔで上下動し、下動時の姿勢を直立姿勢に対して下部が上部より前側になった後倒姿勢となるように設定され、下動下端位置（下死点位置）で後倒姿勢から前倒姿勢に姿勢変更し、上動時の姿勢を直立姿勢に対して下部が上部より後側になった前倒姿勢となるように設定されている。また、苗植付け体２０は、後輪６，６の車軸１１，１１位置より後側に配置されている。
【００１７】
前記苗植付け体２０の上方には、苗を上方から受け入れた苗を落下案内させて苗植付け体２０に供給するための筒状の苗供給案内体２３を備える。この苗供給案内体２３は、平面視四角形状で上側ほど幅広となる形状となっており、上端の苗供給口２３ａが広くなるため作業者が苗供給しやすく、下端の苗落下口が狭くなるため苗植付け体２０へ適確に苗を案内して落下供給させることができる。尚、この苗供給案内体２３は、上下動機構２１の作動で苗植付け体２０と共に一体的に上下動し、苗植付け体２０との位置関係が常に所定に保たれる。
【００１８】
苗供給案内体２３の前側には、該苗供給案内体２３へ供給する苗を載置する苗載置台２４を設けている。従って、この苗移植機は、操縦ハンドル２が偏位した左右一方側（右側）とは左右反対側（左側）の後輪６の後側に、作業者が立って前に歩きながら前記苗載置台２４から苗供給案内体２３へ苗を補給する作業を可能とする作業空間Ｗを形成している。
【００１９】
この苗植機は、苗植付け体２０が植付けた苗に対して覆土鎮圧するための覆土鎮圧輪２５、２５を苗植付け体２０の苗植付け個所の後方左右両側近傍位置に設けている。この覆土鎮圧輪２５，２５は、転動輪である。機体フレーム２ｂに固定された取付部材２６に左右方向の回動支点軸２７ａ回りに上下回動自在に前後に延びる主支持フレ−ム２７を設け、該主支持フレ−ム２７の回動先端側（後側）に固着された副支持フレーム２８に左右の覆土鎮圧輪２５，２５が取り付けられている。前記副支持フレ−ム２８は主支持フレ−ム２７から機体側面視で前斜め下側に延びる形態となっており、覆土鎮圧輪２５，２５は主支持フレ−ム２７から離れた下方位置に配置されている。また、副支持フレ−ム２８は、平面視で前側（回動支点軸２７ａ側）及び背面視で下側が開放するようなコの字型いいかえれば門型の形態となっており、パイプフレ−ムを適宜折り曲げて構成されている。この副支持フレ−ム２８の前斜め下側に延びる左右両端部の左右方向内側に、転動用支持軸２９，２９を介して該軸２９，２９に対して回転自在に覆土鎮圧輪２５，２５が取り付けられている。尚、主支持フレ−ム２７の後端にはウエイト３０が装着され、このウエイト３０の重力により覆土鎮圧輪２５，２５の鎮圧力を得るようになっている。
【００２０】
植付伝動ケース９の後端から後側に延びる植付部フレーム３１には、苗避け具３２を上下方向の回動軸部分３２ａを中心に横方向に回動可能に設けている。この苗避け具３２は、棒材で構成され、前記回動軸部分３２ａが植付部フレーム３１の下側まで延び、該回動軸部分３２ａに連設される傾斜部分３２ｂと該傾斜部分３２ｂに連設される横方向部分（水平部分、作用部分）３２ｃとを備えている。この横方向部分（水平部分）３２ｃが、苗植付け体２０の作動軌跡Ｔ内を移動して植え付けた苗を押し避ける構成となっている。前記回動軸部分３２ａには作動アーム３３を固着し、該作動アーム３３に連結され該アーム３３から後側に延びる連結ロッド３４と、該連結ロッド３４の他端が連結され前後方向に回動するカウンタアーム３５と、該カウンタアーム３５から右側に延び該アーム３５と一体回動する伝達軸３６と、機体左右中央位置で該伝達軸３６と一体回動する駆動カムアーム３７とを設けている。尚、前記伝達軸３６は、苗避け具３２の回動軸部分３２ａより後側で植付部フレーム３１に回動可能に支持されている。そして、苗植付装置５の苗植付け体２０の後側には、上下動機構２１により苗植付け体２０と共に上下動する駆動部材（駆動ピン）３８を苗植付け体２０より上側で後側に突出させて設けている。従って、前記駆動部材（駆動ピン）３８は、苗植付け体２０の上下動に連動して上下に長いループ状の作動軌跡Ｕ上を移動する。この作動軌跡Ｕの後側部分すなわち苗植付け体２０の上動と共に駆動部材３８が上動する部分の中途位置で、駆動部材３８が前記駆動カムアーム３７に当接し、駆動カムアーム３７を上側へ揺動させる構成となっている。従って、駆動部材３８の上動に連動して、駆動カムアーム３７、伝達軸３６、カウンタアーム３５、連結ロッド３４及び作動アーム３３を介して苗避け具３２が横方向に回動する構成となっている。すなわち、前記駆動カムアーム３７、伝達軸３６、カウンタアーム３５、連結ロッド３４及び作動アーム３３により、苗植付け体２０の上下動（上動）に苗避け具３２を連動させる連動機構が構成されている。この連動機構は、苗植付け体２０の作動軌跡Ｔより上側位置で且つ苗植付け体２０の後側から左右一方側（左側）にかけて配置され、苗植付け体２０から離れた位置に迂回して設けられているため、植え付けた苗が大きい苗（大苗）であっても該苗に干渉するようなことがなくて苗の植付姿勢が悪化するようなことがない。
【００２１】
図４（ａ）に実線で示すように、駆動部材３８が前記駆動カムアーム３７に当接していない通常状態では、苗避け具３２の横方向部分（水平部分）３２ｃが苗植付け体２０の前側に位置して苗植付け体２０の上下動を妨げない。そして、駆動部材３８が前記駆動カムアーム３７に当接すると、前記横方向部分（水平部分）３２ｃが後側へ回動して苗植付け体２０に対して後側位置（図４（ａ）に示す仮想線の位置）まで移動する。この横方向部分３２ｃの後側への回動開始は苗植付け体２０の下端が横方向部分３２ｃより上位まで上動したタイミングで行われ、苗植付け体２０が上死点から下動し始めるまでに横方向部分３２ｃが元の通常位置まで戻る構成となっている。詳しくは、苗植付け体２０が上死点に到達する前で開閉機構２２により苗植付け体２０の下端部が閉じた後に横方向部分３２ｃが元の通常位置へ戻り始める。従って、苗避け具３２の作動は、苗植付け体２０の上下動を妨げない。尚、苗避け具３２は、駆動部材３８が前記駆動カムアーム３７に当接していない状態では連動機構に備える復帰用スプリング（図示せず）により通常位置に戻る構成となっている。よって、苗植付け体２０の上動に連動して植え付けた苗の葉を苗避け具３２の横方向部分３２ｃが後方へ押し避け、苗植付け体２０の上動中に開閉機構２２により苗植付け体２０の下端部が閉じて植え付けた苗の葉を挟み込むようなことを確実に防止でき、植え付けた苗の損傷や姿勢の悪化を防止できる。尚、左右に分割回動して植え付けた苗の前後が開放される苗植付け体２０に対して、その開放される方向（後方）に苗避け具３２の横方向部分３２ｃを作動させる構成であるため、大苗であっても苗の葉を円滑に苗植付け体２０の内部から外方へ押し出すことができる。
【００２２】
作動アーム３３には、連結ロッド３４を連結するための孔３９を複数設けている。従って、連結ロッド３４を連結する孔３９を変えて作動アーム３３における連結ロッド３４の連結位置を変更することにより、苗避け具３２の作動量を変更することができ、これにより作動量変更手段が構成されている。具体的には、苗避け具３２の横方向部分（作用部分）の回動角度が１２０度の大作動状態と前記回動角度が８０度の小作動状態とに切り替えできる。これにより、苗丈が短い苗を植え付けるときや土壌の保持力が弱く苗の植付姿勢が安定しにくいときは、前記小作動状態に設定して、苗避け具３２の作動で植え付けた苗が傾いてかえって苗の姿勢が悪化するようなことを防止できる。また、苗の葉が側方へ大きく広がる大苗を植え付けるときや土壌の保持力が強く苗の植付姿勢が安定しているときは、前記大作動状態に設定して、苗避け具３２の作動で上動する苗植付け体２０に干渉して植え付けた苗の姿勢が悪化するのを確実に防止できる。また、上述の連結ロッド３４の連結位置の変更により苗植付け体２０の上動速度に対する苗避け具３２の作動速度も変更され、大作動状態のとき苗避け具３２の作動速度が速くなり、小作動状態のとき苗避け具３２の作動速度が遅くなる。従って、この苗移植機１は、苗避け具３２の作動速度を変更する作動速度変更手段を備えている。前述と同様に、苗丈が短い苗を植え付けるときや土壌の保持力が弱く苗の植付姿勢が安定しにくいときは、苗避け具３２の作動速度を遅くすれば、植え付けた苗が傾いてかえって苗の姿勢が悪化するようなことを防止できる。また、苗の葉が側方へ大きく広がる大苗を植え付けるときや土壌の保持力が強く苗の植付姿勢が安定しているときは、苗避け具３２の作動速度を速くすれば、上動する苗植付け体２０に干渉して植え付けた苗の姿勢が悪化するのを確実に防止できる。尚、苗避け具３２の作動速度は苗植付け体２０の上動速度に比例するので、苗植付け体２０の上動に植付苗が干渉するのを適確に防止できる。
【００２３】
また、図４（ａ）に示すように、苗避け具３２の横方向部分（作用部分）３２ｃが、前記大作動状態のときは平面視で覆土鎮圧輪２５に重複する位置となり、前記小作動状態のときは覆土鎮圧輪２５より前側に位置する。これにより、植え付けた苗が確実に苗植付け体２０に巻き込まれないようにしたいときは、前記大作動状態まで苗避け具３２を作動させ、左右の覆土鎮圧輪２５、２５間の空間まで苗を押し避けて該空間を有効利用することができる。一方、植え付けた苗が覆土鎮圧輪２５並びにその周辺部材に巻き込まれるおそれがあるときは、前記小作動状態まで苗避け具３２を作動させ、苗が苗植付け体２０の直後には押し寄せられるが覆土鎮圧輪２５の位置までは押し寄せないようにできる。尚、副支持フレ−ム２８は、平面視で前側（回動支点軸２７ａ側）及び背面視で下側が開放するようなコの字型いいかえれば門型の形態となっているため、苗植付け体２０による苗植付位置から極力離れるように構成されており、左右の覆土鎮圧輪２５，２５間の空間まで苗を押し避けたとき苗の葉が覆土鎮圧輪２５並びにその周辺部材（副支持フレ−ム２８を含む）に干渉しないような構造となっている。特に、副支持フレ−ム２８の上位ほど苗植付け体２０から離れる側（後側）に位置しているので、押し避けられた苗の先端部が該フレーム２８に干渉しにくくなり、効率良く該フレーム２８への植付苗の干渉を防止できる。また、平面視でコの字型の副支持フレ−ム２８の空間内に駆動部材（駆動ピン）３８が位置する構成となっており、上下動する駆動部材（駆動ピン）３８も副支持フレ−ム２８に干渉することがない。
【００２４】
また、苗避け具３２の傾斜部分３２ｂは平面視で覆土鎮圧輪２５の主支持フレ−ム２７と重複しているが、傾斜させているため主支持フレ−ム２７の上下回動範囲内では該主支持フレ−ム２７と干渉しないように配置されている。苗避け具３２自体は、左側（左右同じ側）に配置される苗植付装置５の上下動機構２１（リンク機構）と干渉しないような構造となっている。
【００２５】
また、苗避け具３２の傾斜部分３２ｂにはスクレーパ４０を固着しており、苗避け具３２ の後側への作動で前記スクレーパ４０が左右に開いた苗植付け体２０の左側部分（苗避け具３２側）の外面に接触し、このスクレーパ４０が接触した状態で苗植付け体２０が上動することにより前記外面の泥を落とす構成となっている。尚、このスクレーパ４０は、苗植付け体２０の外面形状に合わせて上側ほど左右方向外側となるように傾斜している。これにより、スクレーパ４０の作動機構を苗避け具３２の作動機構（連動機構）と兼用でき、コストダウンが図れる。尚、図６（ｂ）に示すように、苗避け具３２の横方向部分（作用部分）３２ｃの先端を延長して上側に立ち上がる立ち上がり部３２ｄを設け、該立ち上がり部３２ｄにスクレーパ４０を装着して該スクレーパ４０が左右に開いた苗植付け体２０の右側部分の外面に接触するように構成すれば、苗植付け体２０の右側部分の外面の泥も落とすことができる。このとき、前記立ち上がり部３２ｄが横方向部分（作用部分）より苗避け具３２の回動先端側となるため、立ち上がり部３２ｄひいては該立ち上がり部３２ｄに取り付けた右側のスクレーパ４０が先に植え付けた苗に先に接触し、該スクレーパ４０が邪魔になって苗を適正に押し避けられないおそれがある。そこで、図７に示すように、立ち上がり部３２ｄを横方向部分（作用部分）に対して苗避け具３２の回動始端側（前側）に偏位させた構成とすることにより、立ち上がり部３２ｄひいては該立ち上がり部３２ｄに取り付けたスクレーパ４０が苗の葉に先に当接するようなことが抑えられ、苗の押し避け作用を適正に得ることができる。このとき、立ち上がり部３２ｄが横方向部分（作用部分）３２ｃより苗避け具３２の回動始端側（前側）に偏位しているので、傾斜部分３２ｂに設けた左側のスクレーパ４０に遅れて立ち上がり部３２ｄに設けた右側のスクレーパ４０が苗植付け体２０の近くに到達することになり、右側のスクレーパ４０が遅れて到達する分、苗植付け体２０が上動して該苗植付け体２０の外面に的確に接触できなくなるおそれがある。そこで、図７（ｂ）に示すように、前記の苗植付け体２０の上動に相当する分、左側のスクレーパ４０に対して右側のスクレーパ４０を上位に配置すれば、左右のスクレーパ４０，４０を共に的確に苗植付け体２０の外面に作用させることができ、苗植付け体２０の左右外面の泥落としを適確に行える。
【００２６】
また、機体後部左側に設けた後方に延びる操舵レバー４１を左右に操作することにより、左側の縦フレーム１８ａを回動させて左側の前輪７を左右に操向させると共に、左側の縦フレーム１８ａからタイロッド４２を介して右側の縦フレーム１８ａを回動させて右側の前輪７を左右に操向させる。従って、操舵レバー４１の操作により、左右の前輪７、７を同じ方向に操向させる構成となっている。操舵レバー４１のレバーガイド４１ａに備える多数の固定溝（図示せず）により、左右の前輪７、７の適宜の操向角度に設定できると共に、操舵レバー４１を把持していなくても前記操向角度が変化しないように固定することができる。従って、傾斜地を走行するときや左右一方の車輪６、７のみが畝溝を通過するとき等、機体が左右に傾斜して直進走行しにくい場合に、操舵レバー４１により左右の前輪７、７を機体傾斜の上位側に操向させた状態で固定し、機体傾斜の下位側に機体が移行するのを抑えて直進性を向上させることができる。また、操舵レバー４１により、機体の傾斜度合いに応じて左右の前輪７、７の機体傾斜の上位側への操向角度を変更でき、機体を良好に直進走行させることができる。この操舵レバー４１は、機体の左右一方側（右側）に偏位した操縦ハンドル２とは左右反対側（左側）で且つ該レバー４１側となる左右一方（左側）の後輪６の後方に位置しているので、前記後輪６後方の作業空間Ｗで苗供給案内体２３へ一株づつ苗供給する作業者が苗供給作業をしながら機体の進路によって左右の前輪７、７の操向角度を変更するべく容易に操作することができ、作業性が向上する。
【００２７】
操舵レバー４１が配置された側とは左右反対側（右側）の前輪７の平面視で前方の位置には、機体の進行方向の指標となるマーカ４３を設けている。このマーカ４３は、左右前輪７，７を支持する横フレーム１８に固着して設けられている。従って、マーカ４３により機体の進行方向を確認して、操舵レバー４１により前輪７、７を適正な操向角度に設定することができる。また、前記マーカ４３は、平面視で右側の前輪７と重複する位置にあるので、右側の前輪７と該マーカ４３との向きを視認して前輪７、７の操向角度を判断するのにも便利であり、前輪７、７の操向角度設定を適切に且つ容易に行える。尚、上述のマーカ４３は、機体側に固定されたものについて説明したが、右側の縦フレーム１８ａ等に取り付けて前輪７、７と共に操向されるものとしてもよい。この場合も、機体前側に延びるマーカの向きで前輪７、７の操向角度を容易に判断でき、前輪７、７の操向角度設定を適切に且つ容易に行える。
【００２８】
この苗植機１により、左右一対の前輪７、７と左右一対の後輪６、６で前進走行しながら、作業者が供給した苗を苗供給案内体２３を介して苗植付け体２０へ供給し、苗植付け体２０を作動させて圃場へ苗植付作業をすることができる。
【図面の簡単な説明】
【００２９】
【図１】苗植機の側面図
【図２】苗載置台を省略した苗植機の平面図
【図３】覆土鎮圧輪支持構造を示す斜視図
【図４】苗避け具を示す図（（ａ）平面図、（ｂ）側面図、（ｃ）スクレーパを省略した側面図）
【図５】覆土鎮圧輪及び副支持フレームを示す一部断面背面図
【図６】スクレーパを示す背面図（（ａ）片方のみ、（ｂ）左右両側）
【図７】異なる苗避け具を示す図（（ａ）平面図、（ｂ）背面図）
【符号の説明】
【００３０】
６…後輪（走行車輪）、８０…覆土鎮圧輪、１１０…回動レバー、１１２…係合フック（上動規制手段）
【図１】
2006223179.tif 000003
【図２】
2006223179.tif 000004
【図３】
2006223179.tif 000005
【図４】
2006223179.tif 000006
【図５】
2006223179.tif 000007
【図６】
2006223179.tif 000008
【図７】
2006223179.tif 000009
【手続補正書】
【提出日】平成17年3月14日(2005.3.14)
【手続補正１】
【補正対象書類名】図面
【補正対象項目名】全図
【補正方法】変更
【補正の内容】
【図１】
2006223179.tif 000010
【図２】
2006223179.tif 000011
【図３】
2006223179.tif 000012
【図４】
2006223179.tif 000013
【図５】
2006223179.tif 000014
【図６】
2006223179.tif 000015
【図７】
2006223179.tif 000016